(57)【要約】    【課題】  電気部品の高精度な位置決めを可能とする電気部品用ソケットを提供する。    【解決手段】  電気部品を収容して保持する収容部２を備えたソケット本体部１と、収容部２に対応してソケット本体部１に複数植設されたコンタクトピン７と、収容部２に収容された電気部品をソケット本体部１側に押圧して電気部品の端子とコンタクトピン７との接触を確保するソケットカバー８と、を有する電気部品用ソケットであって、収容部２の一隅角部に電気部品を位置決めする位置決め部１１を設け、ソケットカバー８の電気部品を押圧する押圧動作に伴って操作され、収容部２に収容された電気部品の位置決め部１１と反対側の隅角部にて直交する側面にそれぞれ点接触し、電気部品を位置決め部１１に対して片寄せする片寄せ手段９を備えたものである。【選択図】      図１
2005061948.tif 000002
【特許請求の範囲】
【請求項１】
電気部品を収容して保持する収容部を備えたソケット本体部と、収容部に対応してソケット本体部に複数植設されたコンタクトピンと、前記収容部に収容された電気部品をソケット本体部側に押圧して電気部品の端子とコンタクトピンとの接触を確保する部品押え手段と、を有する電気部品用ソケットであって、
前記収容部の一隅角部に電気部品を位置決めする位置決め部を設け、
前記部品押え手段の電気部品を押圧する押圧動作に伴って操作され、収容部に収容された電気部品の前記位置決め部と反対側の隅角部にて交差する側面にそれぞれ当接し、電気部品を前記位置決め部に対して片寄せする片寄せ手段を備えたことを特徴とする電気部品用ソケット。
【請求項２】
前記片寄せ手段は、電気部品の隅角部にて交差する側面にそれぞれ当接する一対の押圧部を突設した押圧部材と、前記部品押え手段の押圧動作に伴って伸長し、押圧解除動作に伴って収縮すると共に押圧部材を片寄せ方向に付勢して電気部品を片寄せする片寄せばねと、部品押え手段の押圧動作に伴って収縮し、押圧解除動作に伴って伸長すると共に押圧部材を片寄せ方向と反対方向に付勢して所定位置に復帰させる復帰ばねと、この復帰ばねの片寄せ方向と反対方向の付勢力を押圧部材に伝達すると共に部品押え手段の押圧動作に伴って復帰ばねを収縮させる操作部材と、を備えたことを特徴とする請求項１記載の電気部品用ソケット。
【請求項３】
前記片寄せ手段は、電気部品を片寄せする際に押圧部材が移動する移動量に対して復帰ばねの収縮量が大きくなるようにしたことを特徴とする請求項２記載の電気部品用ソケット。
【請求項４】
前記操作部材は、前記押圧部材の押圧部から片寄せ方向とは反対方向に後退して設けた側面に形成した切欠部を通してその先端部を反対側に突出させ、前記部品押え手段の押圧動作に伴う操作力が作用するようにした突出部と、前記切欠部よりも大きい形状を有し切欠部の縁部に係止して復帰ばねの付勢力を押圧部材に伝達する係止部と、を備えたことを特徴とする請求項２記載の電気部品用ソケット。
【請求項５】
前記片寄せばねは、前記押圧部材に突設した一対の押圧部に対応した部位にそれぞれ配置されたことを特徴とする請求項２記載の電気部品用ソケット。
【請求項６】
前記復帰ばねは、前記押圧部材に突設した一対の押圧部の中心線上にて前記収容部の対角線の延長上部位に一つ配置されたことを特徴とする請求項２記載の電気部品用ソケット。
【請求項７】
前記復帰ばねは、その弾性荷重を前記片寄せばねの弾性荷重よりも大きくしたことを特徴とする請求項２記載の電気部品用ソケット。
【請求項８】
前記押圧部材は、前記収容部の対角線に対して対称部位を片寄せ側に突出させた押圧部を前側面に設けて断面形状が略凹形状に形成された枠状部材を有し、内側から前側面に前記片寄せばねの付勢力が作用するようにし、後側面に復帰ばねの付勢力が作用するようにしたことを特徴とする請求項２記載の電気部品用ソケット。
【請求項９】
前記部品押え手段は、押圧動作に伴って、前記片寄せ手段に操作力を作用して片寄せ動作をさせる操作部を備えたことを特徴とする請求項１記載の電気部品用ソケット。
【発明の詳細な説明】
【技術分野】
【０００１】
本発明は、電気部品のバーンインテスト等の検査に適用する電気部品用ソケットに関し、詳しくは、電気部品の隅角部にて交差する側面にそれぞれ当接して電気部品を収容部の位置決め部に対して対角線方向に押圧し、片寄せする片寄せ手段を備えることによって、電気部品の高精度な位置決めを可能とする電気部品用ソケットに係るものである。
【背景技術】
【０００２】
電気部品のバーンインテスト等の検査に適用される電気部品用ソケットは、一般にソケット本体部に設けた収容部に対する電気部品の収容性をよくするために、収容部と電気部品との間にクリアランスを設けている。したがって、電気部品を収容部の所定位置に位置決めするためには、収容された電気部品を対角線方向に押圧し、収容部に形成した位置決め部に対して片寄せして位置決めする必要がある。
【０００３】
従来のこの種の電気部品用ソケットには、例えば電気部品を収容する収容部を有するソケット本体部と、このソケット本体部に配設されて電気部品の下面に設けられた端子に接触可能とされた複数のコンタクトピンと、ソケット本体部に枢着された押えカバーとを有し、ソケット本体部の収容部の周囲には、電気部品を収容部に収容するときに電気部品の隅角部分を案内するガイド突起が設けられ、押えカバーが閉止されることにより、収容部に収容された電気部品を押圧保持して電気部品の端子をコンタクトピンに接触させるようにし、押えカバーが閉止されるのに伴い、電気部品の隅角部分を対角線方向に押圧し、その隅角部分と対角線上の反対側の隅角部分を、ガイド突起に当接させる片寄せ手段を設けたものがある（例えば、特許文献１参照）。
【０００４】
この片寄せ手段は、図１１に示すように、ソケット本体部１に設けた収容部２上に片持ち板ばね３を略水平に配設して基端部３ａをソケット本体部１に固定させて有しており、図１２に示すように、板ばね３の先端部３ｂ側と係合する押圧ブロック４をソケット本体部１に上下動自在に配設して図示省略の弾性部材により上方に付勢された構成を有している。そして、図示省略の押えカバーが開状態において、押圧ブロック４は上昇して、図１２に示すように、板ばね３の先端部３ｂを押圧ブロック４の側面４ａに当接させて図１１中破線で示すように収容部２から後退させており、押えカバーの閉動作に伴って押圧ブロック４が下降して、板ばね３の先端部３ｂを図１２に示す押圧ブロック４の側面４ａから後退した側面４ｂに移動させて板ばね３を図１１中実線で示す位置まで弾性力により復帰させる。これにより、板ばね３で電気部品の隅角部分を矢印Ｐの対角線方向に押圧して片寄せし、この隅角部分と対角線上の反対側の隅角部分を、ガイド突起５に当接させるようにしている。
【０００５】
しかし、このような従来の電気部品用ソケットにおいては、板ばね３が、その基端部３ａの端Ｏを中心に回動して復帰しようとする弾性力により電気部品の隅角部を対角線方向に押圧するように片寄せ手段を構成しているので、図１３に示すように電気部品６には点Ｏを中心とする円の接線方向の力が作用し、片寄せ動作に伴って電気部品６の隅角部に作用する力の方向が、例えば同図中矢印Ｑ，Ｒ，Ｓ方向と変化し、図１１に示す矢印Ｐの対角線方向に一致する力を常時作用させることができない。したがって、片寄せ動作中に電気部品６には回転方向の力が作用し、電気部品６の位置決め精度を悪くする虞がある。また、電気部品６に作用する力の方向は、電気部品６が収容部２に収容されたときの姿勢によっても異なり、一定しない。
【０００６】
また、押えカバーの閉動作に伴って押圧ブロック４が下降されることにより、板ばね３が弾性力により復帰して電気部品の隅角部分を対角線方向に押圧するようにしているので、押圧ブロック４が下降する際に、板ばね３には押圧ブロック４との摩擦により捩れが発生し、電気部品の押圧方向が図１１に示す矢印Ｐの対角線方向からずれる場合がある。したがって、この場合も電気部品の位置決め精度を悪くする虞がある。
【特許文献１】特開２０００−１８２７３９号公報（第４〜５頁、図４，図７）
【発明の開示】
【発明が解決しようとする課題】
【０００７】
そこで、このような問題に対処するために本発明が解決しようとする課題は、電気部品の高精度な位置決めを可能とする電気部品用ソケットを提供することである。
【課題を解決するための手段】
【０００８】
本発明による電気部品用ソケットは、電気部品を収容して保持する収容部を備えたソケット本体部と、収容部に対応してソケット本体部に複数植設されたコンタクトピンと、前記収容部に収容された電気部品をソケット本体部側に押圧して電気部品の端子とコンタクトピンとの接触を確保する部品押え手段と、を有する電気部品用ソケットであって、前記収容部の一隅角部に電気部品を位置決めする位置決め部を設け、前記部品押え手段の電気部品を押圧する押圧動作に伴って操作され、収容部に収容された電気部品の前記位置決め部と反対側の隅角部にて交差する側面にそれぞれ当接し、電気部品を前記位置決め部に対して片寄せする片寄せ手段を備えたものである。
【０００９】
また、前記片寄せ手段は、電気部品の隅角部の交差する側面にそれぞれ当接する一対の押圧部を突設した押圧部材と、前記部品押え手段の押圧動作に伴って伸長し、押圧解除動作に伴って収縮すると共に押圧部材を片寄せ方向に付勢して電気部品を片寄せする片寄せばねと、部品押え手段の押圧動作に伴って収縮し、押圧解除動作に伴って伸長すると共に押圧部材を片寄せ方向と反対方向に付勢して所定位置に復帰させる復帰ばねと、この復帰ばねの片寄せ方向と反対方向の付勢力を押圧部材に伝達すると共に部品押え手段の押圧動作に伴って復帰ばねを収縮させる操作部材と、を備えたものである。
【００１０】
さらに、前記片寄せ手段は、電気部品を片寄せする際に押圧部材が移動する移動量に対して復帰ばねの収縮量が大きくなるようにしたものである。
【００１１】
さらにまた、前記操作部材は、前記押圧部材の押圧部から片寄せ方向とは反対方向に後退して設けた側面に形成した切欠部を通してその先端部を反対側に突出させ、前記部品押え手段の押圧動作に伴う操作力が作用するようにした突出部と、切欠部よりも大きい形状を有し切欠部の縁部に係止して復帰ばねの付勢力を押圧部材に伝達する係止部と、を備えたものである。
【００１２】
そして、前記片寄せばねは、前記押圧部材に突設した一対の押圧部に対応した部位にそれぞれ配置されたものである。
【００１３】
また、前記復帰ばねは、前記押圧部材に突設した一対の押圧部の中心線上にて前記収容部の対角線の延長上部位に一つ配置されたものである。
【００１４】
さらに、前記復帰ばねは、その弾性荷重が前記片寄せばねの弾性荷重よりも大きく形成したものである。
【００１５】
さらにまた、前記押圧部材は、前記収容部の対角線に対して対称部位を片寄せ側に突出させた押圧部を前側面に設けて断面形状が略凹形状に形成された枠状部材を有し、内側から前側面に前記片寄せばねの付勢力が作用するようにし、後側面に復帰ばねの付勢力が作用するようにしたものである。
【００１６】
そして、前記部品押え手段は、押圧動作に伴って、前記片寄せ手段に操作力を作用して片寄せ動作をさせる操作部を備えたものである。
【発明の効果】
【００１７】
請求項１に係る発明によれば、部品押え手段の電気部品を押圧する押圧動作に伴って、片寄せ手段で収容部に収容された電気部品の隅角部にて交差する側面の各当接位置を対角線方向に押圧し、対角線上反対側の収容部の隅角部に設けた位置決め部に対して電気部品を片寄せし位置決めすることができる。したがって、電気部品には、対角線方向の力が作用し、電気部品の位置決め精度を向上させることができる。
【００１８】
また、請求項２に係る発明によれば、片寄せばねで押圧部材を片寄せ方向に付勢し、復帰ばねで押圧部材を片寄せ方向と反対方向に付勢し、部品押え手段の押圧動作に伴って操作部材を操作して復帰ばねを収縮すると共に片寄せばねを伸長し、押圧部材に突設した一対の押圧部で電気部品の交差する側面の各当接位置を押圧して電気部品を片寄せし、部品押え手段の押圧解除動作に伴って操作部材による操作を解除して復帰ばねを伸長すると共に片寄せばねを収縮させ、押圧部材を所定位置まで復帰させることができる。したがって、外部から操作部材を操作して復帰ばねを伸縮させることにより、押圧部材に容易に進退動作をさせることができる。
【００１９】
さらに、請求項３に係る発明によれば、突出部を押圧部材の押圧部から片寄せ方向とは反対方向に後退して設けた側面に形成した切欠部に挿通し、その先端部を反対側に突出させて操作力が作用するようにし、切欠部よりも大きい形状を有する係止部を切欠部の縁部に係止して復帰ばねの付勢力を押圧部材に伝達することができる。したがって、突起部に操作力を作用させることにより、押圧部材の外側から復帰ばねの収縮操作を容易に行うことができる。
【００２０】
さらにまた、請求項４に係る発明によれば、電気部品を片寄せして位置決めする際に、押圧部材に対する復帰ばねの復帰方向の弾性力を解除して、電気部品に対して片寄せばねの弾性力のみによる一定荷重を付与することができる。したがって、復帰ばねの弾性力の影響で片寄せ方向の荷重が不足して電気部品が動いてしまう虞が無く、電気部品の位置決め精度を向上することができる。
【００２１】
そして、請求項５に係る発明によれば、片寄せばねで押圧部材に突設した一対の押圧部に対応する部位を片寄せ方向に付勢することができる。したがって、押圧部材を片寄せ方向にバランスよく付勢することができ、電気部品の対角線方向の押圧が安定する。これにより、電気部品の位置決め精度を向上することができる。
【００２２】
また、請求項６に係る発明によれば、押圧部材に突設した一対の押圧部の中心線上にて収容部の対角線の延長上部位に一つ配置した復帰ばねで押圧部材を片寄せ方向と反対方向に付勢することができる。したがって、押圧部材に収容部の対角線方向に沿った直線状の進退動作をさせることができる。これにより、電気部品の位置決め精度を向上することができる。
【００２３】
さらに、請求項７に係る発明によれば、定常状態において、押圧部材を所定位置に後退させて収容部を開放状態に保持することができる。したがって、電気部品の収容が容易になる。
【００２４】
さらにまた、請求項８に係る発明によれば、断面形状が略凹形状に形成した枠状部材にて、収容部の対角線に対して対称部位を片寄せ側に突出させて押圧部を形成した前側面に内側から片寄せばねの付勢力を作用させ、後側面に復帰ばねの付勢力を作用させることができる。したがって、片寄せ手段をコンパクトに形成することができる。
【００２５】
そして、請求項９に係る発明によれば、部品押え手段の押圧動作に伴って、部品押え手段に設けた操作部で片寄せ手段に操作力を作用し、片寄せ動作をさせることができる。したがって、部品押え手段の操作のみで電気部品の位置決めをすることができ、電気部品のバーンインテスト等の検査工程を自動化することができる。
【発明を実施するための最良の形態】
【００２６】
以下、本発明の実施の形態を添付図面に基づいて詳細に説明する。
図１は本発明による電気部品用ソケットの第１実施形態を示す平面図であり、図２は図１のＡ−Ｂ線断面図であり、図３は図１のＢ−Ｃ線断面図である。この電気部品用ソケットは、電気部品の初期不良を取り除くバーンインテスト等に使用される例えばクラムシェルタイプの電気部品用ソケットであり、ソケット本体部１と、コンタクトピン７と、部品押え手段としてのソケットカバー８と、を備えて構成する。
【００２７】
ソケット本体部１は、電気部品を収容して保持する電気部品用ソケットの本体部を構成するものであり、収容部２と、片寄せ手段９と、を備えている。このソケット本体部１の中央部上面には、収容部２が設けられている。この収容部２は、電気部品を収容して保持するものであり、収容部２を囲んでガイド部１０を設けており、収容部２の一隅角部分に対応するガイド部１０の部分を位置決め部１１として形成している。なお、ガイド部１０の隅角部分は斜面状にされて、電気部品を収容部２に収容する際に、電気部品を案内できるようになっている。また、収容部２には、電気部品を位置決め収容した状態にて、電気部品の端子に対応する位置に後述のコンタクトピン７を挿通する挿通孔１２が形成されている。
【００２８】
そして、位置決め部１１を形成した側の収容部２の一隅角部に対して対角線上の反対側には、ソケット本体部１の上面部位とガイド部１０とに挟まれて図示省略の空間部を形成し、この空間部に片寄せ手段９が進退可能に設けられている。この片寄せ手段９は、ソケットカバー８の電気部品を押圧する押圧動作（以下、閉動作と記載）に伴って操作され、収容部２に収容された電気部品の位置決め部１１と反対側の隅角部にて交差する側面にそれぞれ当接し、電気部品を位置決め部１１に対して片寄せするものであり、図４に示すように押圧部材１４と、片寄せばね１５と、復帰ばね１６と、操作部材１７と、を備えている。
【００２９】
押圧部材１４は、電気部品６の隅角部の交差する側面にそれぞれ当接して電気部品６を片寄せ方向に押圧するものであり、収容部２の対角線に対して対称部位を片寄せ側に突出させた押圧部１４ａ，１４ｂを前側面１４ｃに設けて断面形状が略凹形状に形成された枠状部材を有し、内側から前側面１４ｃに片寄せばね１５の付勢力が作用するようにし、後側面１４ｄに復帰ばね１６の付勢力が作用するようにしている。
【００３０】
また、押圧部材１４の押圧部１４ａ，１４ｂに対応する部位には、それぞれ片寄せばね１５が設けられている。この片寄せばね１５は、ソケットカバー８の閉動作に伴って伸長し、押圧解除動作（以下、開動作と記載）に伴って収縮すると共に押圧部材１４を片寄せ方向に付勢して電気部品６を片寄せするものであり、例えば弦巻ばねである。そして、一端部を押圧部材１４の内側面１４ｃに当接し他端部を押圧部材１４の内側に突出させてソケット本体部１に設けた固定部１８ａに固定している。これにより、押圧部材１４を片寄せ方向に付勢して電気部品６を押圧可能にしている。
【００３１】
さらに、押圧部材１４の内側には、押圧部材１４に突設した一対の押圧部１４ａ、１４ｂの中心線上にて収容部２の対角線の延長上部位に復帰ばね１６が一つ設けられている。この復帰ばね１６は、ソケットカバー８の閉動作に伴って収縮し、開動作に伴って伸長すると共に押圧部材１４を片寄せ方向と反対方向に付勢して所定位置に復帰させるものであり、例えば弦巻ばねである。また、その一端部を押圧部材１４の後側面１４ｄに操作部材１７を介して当接し他端部を押圧部材１４の内側に突出させてソケット本体部１に設けた固定部１８ｂに固定している。これにより、押圧部材１４を片寄せ方向とは反対の復帰方向に付勢可能にしている。そして、復帰ばね１６は、その弾性荷重を片寄せばね１５の弾性荷重よりも大きくすることにより、復帰ばね１６を押圧部材１４に対して優勢的に作用させて片寄せばね１５を収縮させ、定常状態においては、図４（ａ）に示すように押圧部材１４を矢印Ｄ方向に後退させて所定位置に保持し、収容部２を開放している。
【００３２】
そして、押圧部材１４の後側面１４ｄと復帰ばね１６とに挟ませて操作部材１７が設けられている。この操作部材１７は、復帰ばね１６の片寄せ方向と反対方向の付勢力を押圧部材１４に伝達すると共にソケットカバー８の閉動作に伴って復帰ばね１６を収縮させるものであり、押圧部材１４の後側面１４ｄにてソケット本体部１側に形成した切欠部１９を通してその先端部を反対側に突出させ、ソケットカバー８の閉動作に伴う操作力が作用するようにした突出部１７ａと、切欠部１９よりも大きい形状を有し切欠部１９の縁部に係止して復帰ばね１６の付勢力を押圧部材１４に伝達する係止部１７ｂと、を備えている。この操作部材１７は、より具体的には、半円形状に形成された切欠部１９と、この切欠部１９に対向してソケット本体部１の上面に形成され、逆半円形状の縁部を設けた図示省略の固定部とで突出部１７ａの係止部１７ｂ側部分が挟まれて進退可能に保持されている。そして、図４（ｂ）に示すように、操作部材１７は、ソケットカバー８の閉動作に伴って、突出部１７ａが後述の操作部としてのボス２３で押圧されて切欠部１９内に押し込まれ、復帰ばね１６を収縮させ、押圧部材１４が片寄せばね１５の弾性力により矢印Ｅ方向の片寄せ動作をするようにしている。この場合、電気部品６を片寄せする際に押圧部材１４が移動する移動量ａに対して復帰ばね１６の収縮量ｂが大きくなるように設定するとよい。これにより、電気部品６を位置決めして保持する際に、押圧部材１４に対する復帰ばね１６の復帰方向の弾性力を解除して、電気部品６に対して片寄せばね１５の弾性力のみによる一定荷重を付与することができる。
【００３３】
また、図１に示すように、ソケット本体部１の収容部２に対応した部位には、コンタクトピン７がソケット本体部１に複数植設されている。このコンタクトピン７は、電気部品の端子とソケット本体部１の下部に配置した図示省略の回路基板の配線部とを電気的に接続するためのものであり、収容部２に設けられた挿通孔１２を挿通して先端部を収容部２側に突出させ、反対側端部をソケット本体部１の下面より突出させた状態（図２または図３参照）でマトリクス状に配設されている。そして、収容部２側の先端部が弾性的に上下動可能とされ、電気部品の端子高さ位置のばらつきを吸収して、端子との安定な接触を可能にしている。
【００３４】
そして、ソケット本体部１の一側辺部には、図２に示すように、ソケットカバー８が設けられている。このソケットカバー８は、収容部２上面に位置決め収納された電気部品を上方から押圧して、電気部品の端子とコンタクトピン７とを電気的に接触させるものであり、ソケット本体部１の同図中右側辺部に枢軸ピン２０により開閉可能に設けられている。この枢軸ピン２０には、図１に示すように、弦巻ばね２１が巻き付けられており、その両端部をソケット本体部１の右側辺部側とソケットカバー８の下面側とに当接させることにより、その弾性力でソケットカバー８を常時、開方向に付勢している。そして、ソケットカバー８は、図２に示すように部品押圧部２２と、操作部としてのボス２３と、係止レバー２４とを備えて構成されている。
【００３５】
ソケットカバー８のソケット本体部１側中央部には、部品押圧部２２が設けられている。この部品押圧部２２は、ソケットカバー８が閉止されたときに電気部品の上面を押圧するようにしたものであり、電気部品に当接して押圧する当接部２２ａを突出して備え、電気部品に当接する側と反対側の部位には部品押圧部２２をソケットカバー８に弾力的に保持する、例えばばね部材等からなる弾性部材２５を備えて構成する。
【００３６】
また、ソケットカバー８のソケット本体部１側で片寄せ手段９に対応する部位には、ボス２３が突出して設けられている。このボス２３は、ソケットカバー８が閉止するのに伴って、片寄せ手段９の操作部材１７の突出部１７ａを上方から押圧して押圧部材１４の後側面１４ｄに形成した切欠部１９内に押し込むように作用するものであり、突出部１７ａとの接触部を斜面状に形成してボス２３の上下動作を操作部材１７の水平動作に変換できるようにしている。
【００３７】
また、図２に示すようにソケットカバー８の、枢軸ピン２０と反対側の側辺部には、係止レバー２４が、他の枢軸ピン２６で回動可能に設けられている。そして、枢軸ピン２６には、他の弦巻ばね２７が巻き付けられており、その両端部をソケット本体部１の上面側と係止レバー２４の上側の内側面とに当接させることにより、その弾性力で係止レバー２４を常時起立方向に付勢し、ソケット本体部１の左側面部に係止させてソケットカバー８を閉状態に保てるようになっている。
【００３８】
次に、このように構成された第１実施形態の電気部品用ソケットの動作を説明する。
電気部品用ソケットは、図示省略の回路基板上に設置され、コンタクトピン７が、例えば半田付け等により回路基板の対応する配線部に電気的に接続された状態にされている。このような状態において、先ず、電気部品用ソケットは、ソケットカバー８を、図２に破線で示すように起立して開状態にして電気部品の収容を待つ。このとき、片寄せ手段９の操作部材１７の押圧が解放されているので、片寄せ手段９は、図４（ａ）に示すように復帰ばね１６を伸長させ、片寄せばね１５を収縮させて押圧部材１４を矢印Ｄ方向の所定位置まで後退させ、収容部２を、電気部品を収容可能状態に開放している。
【００３９】
次に、例えば自動機により搬送されて来た電気部品がソケット本体部１の上方より収容部２に対して落とし込まれる。これにより、電気部品は、図４に示すように収容部２を囲んで形成されたガイド部１０に案内されて収容部２に収容される。
【００４０】
次に、ソケットカバー８が、例えば自動機により閉じられ、ソケットカバー８に備える係止レバー２４をソケット本体２の側面部に係止して閉状態とされる。このときソケットカバー８の閉動作に伴って、ソケットカバー８に突出して設けたボス２３が片寄せ手段９の操作部材１７の突出部１７ａを上方から下方に向かって押圧する。
【００４１】
ボス２３の先端部で操作部材１７の突出部１７ａとの接触部が図２に示すように斜面状に形成されているため、ボス２３の下向きの押圧により操作部材１７の突出部１７ａには水平方向の力が作用する。したがって、操作部材１７の突出部１７ａは、図４（ｂ）に示すようにボス２３によって押圧部材１４の後側面１４ｄに設けた切欠部１９内に押し込まれ、操作部材１７は復帰ばね１６を収縮させる。これにより、同図（ａ）に示す復帰ばね１６の押圧部材１４を矢印Ｄ方向に付勢する復帰力が解除されて、押圧部材１４は、同図（ｂ）に示すように片寄せばね１５の矢印Ｅ方向の弾性力により同方向の片寄せ動作をする。
【００４２】
そして、押圧部材１４は、収容部２の対角線に対して左右対称位置に設けた二つの押圧部１４ａ，１４ｂで電気部品６の一隅角部近傍部の交差する側面の各当接位置を収容部２の対角線方向に押圧し、反対側の側面を収容部２の隅角部に設けた位置決め部１１に当接させて電気部品６を位置決めする（図４（ｂ）参照）。これにより、電気部品６の端子とコンタクトピン７が接触可能となる。そして、ソケットカバー８の閉状態において、部品押圧部２２により電気部品６が上方から押圧されて電気部品６の端子とコンタクトピン７とが接触する。
【００４３】
なお、部品押圧部２２は、弾性部材２５でソケットカバー８に弾力的に保持されているため、ソケットカバー８が閉動作をする際、ソケットカバー８のソケット本体部１側に突出して設けられた部品押圧部２２の当接部２２ａは、電気部品６の上面に常時面接触して電気部品６を下方向に均等に押圧することになる。したがって、ソケットカバー８が閉じる際に部品押圧部２２の当接部２２ａが電気部品６に片当たりして電気部品６を動かしてしまう虞がなく、これにより電気部品６の位置決め精度を劣化させる虞がない。
【００４４】
このように、本発明の第１実施形態の電気部品用ソケットは、電気部品６を押圧して片寄せする片寄せ手段９の押圧部材１４に、片寄せ方向に突出させて設けた一対の押圧部１４ａ，１４ｂで電気部品６の一隅角部の交差する側面のそれぞれに当接して電気部品６を収容部２の対角線方向に押圧するようにしているので、電気部品６には対角線方向の力を作用させることができる。これにより、電気部品６の位置決め精度を向上することができる。
【００４５】
また、片寄せ手段９は、電気部品６を片寄せ方向に押圧する押圧部材１４を、片寄せばね１５及び復帰ばね１６で互いに反対方向に付勢しているので、電気部品を片寄せして位置決めする際には、復帰ばね１６に操作力を作用させて収縮させることにより片寄せばね１５を伸長させ、片寄せばね１５の弾性力で押圧部材１４に片寄せ方向の片寄せ動作をさせることができる。これにより、押圧部材１４の片寄せ動作に対して操作力の直接作用を排除し、押圧部材１４には、片寄せばね１５の弾性力のみを作用させることができる。したがって、電気部品６には、収容部２の対角線方向の力のみが作用するので電気部品６の位置決め精度を向上することができる。
【００４６】
さらに、復帰ばね１６の弾性荷重を片寄せばねの弾性荷重よりも大きくしているので押圧部材１４には、復帰ばね１６の弾性力を常時優勢に作用させることができる。これにより、定常状態においては、押圧部材１４を所定位置に後退させて収容部２を開放状態に保持することができる。
【００４７】
そして、片寄せ手段９を収容部２の一隅角部にてガイド部１０と収容部２とに挟まれた空間部に配置しているので、ガイド部１０は収容部２を囲んで形成することができ、収容部２が開放状態において電気部品を収容部２に正しく案内し、収容することができる。
【００４８】
また、図５は、片寄せ手段９の別の構成例を示すものである。図５の片寄せ手段９は、片寄せ方向に突出して形成した一対の押圧部１４ａ，１４ｂ、及びこの一対の押圧部１４ａ，１４ｂに挟まれた部位を片寄せ方向と反対方向に後退させて形成した逃げ部２８を有する押圧部材１４と、各押圧部１４ａ，１４ｂに対応した部位に配置され押圧部材１４を片寄せ方向に付勢する片寄せばね１５と、逃げ部２８に対応した部位に一つ配置され押圧部材１４を復帰方向に付勢する復帰ばね１６と、逃げ部２８に設けた切欠部１９に突出部１７ａを通し復帰ばね１６により付勢されて係止部１７ｂを切欠部１９の縁部に係止した操作部材１７を備えて構成している。これにより、操作部材１７を操作して復帰ばね１６を収縮させると復帰ばね１６の復帰力が解除され、押圧部材１４は、片寄せばね１５の弾性力により片寄せ動作して電気部品６を押圧することができる。
【００４９】
さらに、図６は、片寄せ手段９のさらに別の構成例を示すものである。図６の片寄せ手段９は、図４に示す片寄せ手段９において、押圧部１４ａ，１４ｂに対応した部位に配置した一対の片寄せばね１５に替えて、片寄せばね１５を収容部２の対角線上に一つ配置したものであり、片寄せばね１５と復帰ばね１６とが押圧部材１４を同一直線上で互いに反対方向に付勢している。この場合も、操作手段１８を操作して復帰ばね１６を収縮させることにより、片寄せばね１５で押圧部材１４に片寄せ動作をさせて電気部品６を押圧することができる。なお、この場合、復帰ばね１６を対角線に対して対称位置に一対配置してもよい。
【００５０】
次に、本発明の電機部品用ソケットの第２実施形態を、図７及び図８を参照して説明する。
この第２実施形態の電機部品用ソケットは、図７に示すように、カバー部材２９と、ガイド部１０ａと、片寄せ手段９とをソケット本体部１の上面部位に備えている。
ここで、カバー部材２９は、ソケット本体部１に固定して設けられており、収容部２の上方部位に開口部３０を形成している。
【００５１】
また、この開口部３０の内側で収容部２の一隅角部には、電気部品を収容部２に案内すると共に位置決め規制するガイド部１０ａが固定して設けられている。
【００５２】
さらに、収容部２の対角線上でガイド部１０ａと反対側には、ソケット本体部１の上面部位とカバー部材２９の下面部位とに挟まれて図示省略の空間部を形成し、この空間部に片寄せ手段９が進退可能に設けられている。この片寄せ手段９は、図８に示すように押圧部材１４の押圧部１４ａ，１４ｂが収容部２の片寄せ方向に直交する対角線に対してガイド部１０ａと略対称形状に形成され、電気部品の交差する側面に当接して押圧できるようになっている。そして、片寄せ手段９の操作部材１７は、押圧部材１４の後側面１４ｄにてカバー部材２９側に形成された半円形状の切欠部１９と、この切欠部１９に対向してカバー部材２９の下面に形成され、逆半円形状の縁部を設けた図示省略の固定部とで突出部１７ａの係止部１７ｂ側部分が挟まれて進退可能に保持されており、図示省略のボスの操作力により後退して押圧部材１４に片寄せ動作をさせるようになっている。
【００５３】
このように構成された第２実施形態の電気部品用ソケットによれば、片寄せ手段９の押圧部１４ａ，１４ｂが収容部２の片寄せ方向に直交する対角線に対してガイド部１０ａと略対称形状に形成されているので、片寄せ手段９に電気部品の片寄せ機能と共に電気部品を収容部２に案内するガイド部の機能を兼ね備えさせることができる。
【００５４】
なお、片寄せ手段９の押圧部１４ａ，１４ｂは、ガイド部１０ａと線対称形状に形成されたものに限られず、片寄せ機能とガイド機能とを共に有するように形成されたものであればいかなる形状であってもよい。
【００５５】
また、図５及び図６に示す片寄せ手段９の別の構成例は、第２実施形態においても適用することができる。
【００５６】
また、操作部材１７を操作する操作力の作用方向は、前述した上下方向に限られず、操作部材１７を押圧部材１４の内側に押し込む力を作用させることができればいかなる方向でもよい。さらに、操作部材１７は、前述の形状に限られず、外からの操作力により復帰ばね１６を収縮させることができればいかなる形状でもよい。そして、ソケットカバー８に形成したボス２３は、前述した突起状のものに限られず、部品押え手段２２の押圧動作に伴って操作部材１７を押圧部材１４の内側に押し込む操作力を作用させることができればいかなる形状でもよい。
【００５７】
さらに、本発明の電気部品用ソケットは、クラムシェルタイプに限られず、オープントップタイプに適用してもよい。この場合、部品押え手段は、図９及び図１０に示すようにソケット本体部１に上下動自在に配設された押圧カバー３１と、ソケット本体部１に枢着されたラッチ部材３２と、を備えて構成し、押圧カバー３１が下降されたときにラッチ部材３２の被押圧部３２ａが押圧カバー３１に押圧されて図９中破線で示すようにラッチ部材３２が回動して収容部２を開放し、押圧カバー３１が上昇したとき図１０中実線で示すようにラッチ部材３２が上記回動方向と反対方向に回動して収容部２に収容された電気部品を押圧するようにする。この場合、図示省略の操作部を押圧カバー３１に設け、押圧カバー３１が上昇してラッチ部材３２が電気部品を押圧する動作に伴って操作部が片寄せ手段９の操作部材１７を操作して復帰ばね１６を収縮させるように構成してもよい。また、操作部をラッチ部材３２に設けて、ラッチ部材３２が回動して電気部品を押圧する動作に伴って操作部が片寄せ手段９の操作部材１７を操作するように構成してもよい
【図面の簡単な説明】
【００５８】
【図１】本発明による電気部品用ソケットの第１実施形態を示す平面図であり、Ａ−Ｃ線の上側はソケットカバーの閉状態を示しており、Ａ−Ｃ線の下側はソケットカバーの開状態を示している。
【図２】図１のＡ−Ｂ線断面図である。
【図３】図１のＢ−Ｃ線断面図である。
【図４】第１実施形態の片寄せ手段の動作を示す説明図である。
【図５】第１実施形態の片寄せ手段の別の構成例を示す平面図である。
【図６】第１実施形態の片寄せ手段の更に別の構成例を示す平面図である。
【図７】本発明による電気部品用ソケットの第２実施形態を示す平面図である。
【図８】第２実施形態の片寄せ手段の構成を示す平面図である。
【図９】部品押え手段の他の構成例を示す平面図である。
【図１０】図９のＡ−Ｂ線断面図である。
【図１１】従来技術の片寄せ手段を示す説明図である。
【図１２】従来技術の片寄せ手段の板ばね及び押圧ブロックを示す斜視図である。
【図１３】従来技術における電気部品の片寄せ動作を示す説明図である。
【符号の説明】
【００５９】
１…ソケット本体部
２…収容部
６…電気部品
７…コンタクトピン
８…ソケットカバー
９…片寄せ手段
１１…位置決め部
１４…押圧部材
１４ａ，１４ｂ…押圧部
１５…片寄せばね
１６…復帰ばね
１７…操作部材
１７ａ…突出部
１７ｂ…係止部
１９…切欠部
２３…ボス
【図１】
2005061948.tif 000003
【図２】
2005061948.tif 000004
【図３】
2005061948.tif 000005
【図４】
2005061948.tif 000006
【図５】
2005061948.tif 000007
【図６】
2005061948.tif 000008
【図７】
2005061948.tif 000009
【図８】
2005061948.tif 000010
【図９】
2005061948.tif 000011
【図１０】
2005061948.tif 000012
【図１１】
2005061948.tif 000013
【図１２】
2005061948.tif 000014
【図１３】
2005061948.tif 000015